【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
入力デバイスおよび出力デバイスの発色方式を判定する判定手段と、
前記入力デバイスの輝度レンジと前記出力デバイスの輝度レンジを比較する比較手段と、
前記判定の結果および前記比較の結果に基づき、前記入力デバイスの順応白色点および前記出力デバイスの順応白色点を算出する算出手段と、
前記入力デバイスの順応白色点および前記出力デバイスの順応白色点を用いて色変換処理を行う変換手段とを有し、
前記発色方式が異なると判定され、かつ、前記入力デバイスの白色点の輝度が前記出力デバイスの白色点の輝度を超える場合、前記算出手段は、前記入力デバイスの白色点を前記入力デバイスの順応白色点とし、前記入力デバイスの白色点と前記出力デバイスの白色点から算出した部分順応白色点を前記出力デバイスの順応白色点とし、
前記発色方式が異なると判定され、かつ、前記入力デバイスの白色点の輝度が前記出力デバイスの白色点の輝度以下の場合、前記算出手段は、前記入力デバイスの白色点と前記出力デバイスの白色点から算出した部分順応白色点を前記入力デバイスの順応白色点とし、前記出力デバイスの白色点を前記出力デバイスの順応白色点とし、
前記発色方式が同一と判定され、かつ、前記入力デバイスの輝度レンジが前記出力デバイスの輝度レンジに等しいか、より狭い場合、前記算出手段は、前記入力デバイスの白色点と前記出力デバイスの白色点から算出した部分順応白色点を前記入力デバイスの順応白色点とし、前記出力デバイスの白色点を前記出力デバイスの順応白色点とし、
前記発色方式が同一と判定され、かつ、前記入力デバイスの輝度レンジが前記出力デバイスの輝度レンジより広い場合、前記算出手段は、前記入力デバイスの白色点を前記入力デバイスの順応白色点とし、前記出力デバイスの白色点を前記出力デバイスの順応白色点とすることを特徴とする色処理装置。
【請求項２】
前記変換手段は、前記入力デバイスの順応白色点を用いて前記入力デバイスの色データを色変換処理し、前記出力デバイスの順応白色点を用いて前記出力デバイスに出力する色データを色変換処理することを特徴とする請求項1に記載された色処理装置。
【請求項３】
前記変換手段は、前記入力デバイスの順応白色点と前記出力デバイスの順応白色点を用いて、前記入力デバイスに依存した色データを前記出力デバイスに依存する色データに色変換処理することを特徴とする請求項1に記載された色処理装置。
【請求項４】
判定手段、比較手段、算出手段、変換手段を有する色処理装置の色処理方法であって、
前記判定手段が、入力デバイスおよび出力デバイスの発色方式を判定するステップと、
前記比較手段が、前記入力デバイスの輝度レンジと前記出力デバイスの輝度レンジを比較するステップと、
前記算出手段が、前記判定の結果および前記比較の結果に基づき、前記入力デバイスの順応白色点および前記出力デバイスの順応白色点を算出するステップと、
前記変換手段が、前記入力デバイスの順応白色点および前記出力デバイスの順応白色点を用いて色変換処理を行うステップとを有し、
前記発色方式が異なると判定され、かつ、前記入力デバイスの白色点の輝度が前記出力デバイスの白色点の輝度を超える場合、前記算出手段は、前記入力デバイスの白色点を前記入力デバイスの順応白色点とし、前記入力デバイスの白色点と前記出力デバイスの白色点から算出した部分順応白色点を前記出力デバイスの順応白色点とし、
前記発色方式が異なると判定され、かつ、前記入力デバイスの白色点の輝度が前記出力デバイスの白色点の輝度以下の場合、前記算出手段は、前記入力デバイスの白色点と前記出力デバイスの白色点から算出した部分順応白色点を前記入力デバイスの順応白色点とし、前記出力デバイスの白色点を前記出力デバイスの順応白色点とし、
前記発色方式が同一と判定され、かつ、前記入力デバイスの輝度レンジが前記出力デバイスの輝度レンジに等しいか、より狭い場合、前記算出手段は、前記入力デバイスの白色点と前記出力デバイスの白色点から算出した部分順応白色点を前記入力デバイスの順応白色点とし、前記出力デバイスの白色点を前記出力デバイスの順応白色点とし、
前記発色方式が同一と判定され、かつ、前記入力デバイスの輝度レンジが前記出力デバイスの輝度レンジより広い場合、前記算出手段は、前記入力デバイスの白色点を前記入力デバイスの順応白色点とし、前記出力デバイスの白色点を前記出力デバイスの順応白色点とすることを特徴とする色処理方法。
【請求項５】
コンピュータ装置を、請求項1から請求項3の何れか一項に記載された色処理装置の各手段として機能させることを特徴とするプログラム。
【手続補正２】
【補正対象書類名】明細書
【補正対象項目名】００１１
【補正方法】変更
【補正の内容】
【００１１】
本発明にかかる色処理は、入力デバイスおよびおよび出力デバイスの発色方式を判定し、前記入力デバイスの輝度レンジと前記出力デバイスの輝度レンジを比較し、前記判定の結果および前記比較の結果に基づき、前記入力デバイスの順応白色点および前記出力デバイスの順応白色点を算出し、前記入力デバイスの順応白色点および前記出力デバイスの順応白色点を用いて色変換処理を行い、前記発色方式が異なると判定され、かつ、前記入力デバイスの白色点の輝度が前記出力デバイスの白色点の輝度を超える場合、前記入力デバイスの白色点を前記入力デバイスの順応白色点とし、前記入力デバイスの白色点と前記出力デバイスの白色点から算出した部分順応白色点を前記出力デバイスの順応白色点とし、前記発色方式が異なると判定され、かつ、前記入力デバイスの白色点の輝度が前記出力デバイスの白色点の輝度以下の場合、前記入力デバイスの白色点と前記出力デバイスの白色点から算出した部分順応白色点を前記入力デバイスの順応白色点とし、前記出力デバイスの白色点を前記出力デバイスの順応白色点とし、前記発色方式が同一と判定され、かつ、前記入力デバイスの輝度レンジが前記出力デバイスの輝度レンジに等しいか、より狭い場合、前記入力デバイスの白色点と前記出力デバイスの白色点から算出した部分順応白色点を前記入力デバイスの順応白色点とし、前記出力デバイスの白色点を前記出力デバイスの順応白色点とし、前記発色方式が同一と判定され、かつ、前記入力デバイスの輝度レンジが前記出力デバイスの輝度レンジより広い場合、前記入力デバイスの白色点を前記入力デバイスの順応白色点とし、前記出力デバイスの白色点を前記出力デバイスの順応白色点とすることを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００４４
【補正方法】変更
【補正の内容】
【００４４】
発色方式が異なる場合、入力デバイスの白色点の輝度情報Ysrcと出力デバイスの白色点の輝度情報Ydstを比較する。そして、入力デバイスの白色点の輝度情報が出力デバイスの白色点の輝度情報を超える（Ysrc＞Ydst）場合は式(2)(3)より、入力デバイスの白色点Xsrcw Ysrcw Zsrcw、物体色の白色点Xdstw Ydstw Zdstwを計算する。つまり、入力デバイスの白色点は入力デバイスの白色点そのままにし、出力デバイスの白色点として部分順応を考慮した白色点（部分順応白色点）を計算する。
┌     ┐ ┌    ┐
│Xsrcw│ │Xsrc│
│Ysrcw│=│Ysrc│                       …(2)
│Zsrcw│ │Zsrc│
└     ┘ └    ┘
┌     ┐   ┌    ┐       ┌    ┐
│Xdstw│   │Xdst│       │Xsrc│
│Ydstw│= k│Ydst│+ (1-k)│Ysrc│      …(3)
│Zdstw│   │Zdst│       │Zsrc│
└     ┘   └    ┘       └    ┘
ここで、k = (Ysrc/Ydst)1/3
ここで、XsrcYsrcZsrcは入力デバイスの白色点
XdstYdstZdstは出力デバイスの白色点